(57)【要約】【課題】  酸素吸収剤を用いて無酸素状態で展示物の長期保存を可能し、かつ装置コストや維持管理を軽減できる構造を与える。【解決手段】  透明ケースの外周縁にローレット面を形成し、一方、台座には、透明ケースの装着溝と、載置面の所定の位置に酸素吸収剤を収容する収容部と、空気を出し入れする吸排気孔と、吸排気孔を通じて空気を吸排気し伸縮するベローズと、空気注入孔と、空気注入孔に設けられ装着後の透明ケース内の気体の流出を抑止する逆止弁とを有し、透明ケースを装着溝に装着した状態で、ローレット面と装着溝の間に取り外しを容易にした封止部材を設けるようにした。【選択図】        図１
2005279055.tif 000002
【特許請求の範囲】
【請求項１】
上面に展示物を置くための載置面を有する台座と、一つの面に開口部を持つ箱状体で構成され前記台座の上部に被せて展示物を展示する透明ケースとを備えた展示装置において、
前記透明ケースは、開口部を囲む４面の外周縁にローレット加工が施された所定の幅を持つ帯状のローレット面を有し、
前記台座は、
前記載置面の周囲に設けられ、前記透明ケースの４面の縁部が挿入される装着溝と、
前記載置面の所定の位置に設けられ酸素吸収剤を収容する収容部と、
還流孔が設けられ前記収容部の上面に装着される蓋体と、
前記載置面の片隅に設けられ、当該台座の底部と通じ空気を出し入れする吸排気孔と、
前記吸排気孔の載置面側に設けられ、装着後の前記透明ケース内の気圧に応じて前記吸排気孔を通じて空気を吸排気し伸縮するベローズと、
前記載置面の他の片隅に設けられ、当該台座の底部と通じ装着後の前記透明ケース内に所定の気体を注入するための注入孔と、
前記注入孔に設けられ、装着後の前記透明ケース内の気体の流出を抑止する逆止弁とを有し、
前記透明ケースを前記装着溝に装着した状態で、前記ローレット面と前記装着溝の間に取り外しを容易にした封止部材を設けるようにしたことを特徴とする展示装置。
【請求項２】
封止部材は、台座の装着溝の底部に施されるパテ材と、弾力性を持ち前記パテ材の上部で前記装着溝の外周面と透明ケースのローレット面間に圧入されるＯリングと、当該Ｏリングの上部に充填される蝋材とから構成されたことを特徴とする請求項１記載の展示装置。
【請求項３】
台座の装着溝は、底部に当該装着溝の開口側の外周より小さい外周を持ち、透明ケースの４面の縁部が挿入される奥溝を有する二段溝を形成し、
封止部材は、
透明ケースを前記奥溝まで挿入した際、前記４面の縁部を狭持するように前記奥溝に施される第１のシール材と、
前記第１のシール材の施された奥溝の上部でローレット面と上溝の外周面間に所定厚流し込まれる第２のシール材と、
前記第２のシール材の上部で前記ローレット面と前記上溝の開口側の外周面間に圧入される弾力性を持ったＯリングと、
前記Ｏリングの上部で前記ローレット面と前記上溝の外周面間に前記二段溝の開口面まで充填される第３のシール材とで形成されたことを特徴とする請求項１記載の展示装置。
【発明の詳細な説明】
【技術分野】
【０００１】
この発明は、カビや害虫から展示資料を守り長期に渡り保存す展示装置に関するものである。
【背景技術】
【０００２】
美術品、標本等の資料を内部に収容して展示を行う展示装置は、観覧できるように、上部が、例えばガラス、アクリル等からなる透明部材を用いた箱状の透明ケースで構成されている。このような展示装置において、収容する展示物によっては、害虫やカビによる被害、酸化による腐食などの被害を防止するための処理が要求される。従来、防虫、殺虫の防止処理には、透明ケース内に防虫剤を設置する方法、展示品を一旦展示ケースより出して臭化メチル等の薫蒸剤により薫蒸したり、防虫剤を用いたりする方法がとられていた。しかし、透明ケース中に防虫剤を設置する場合には、頻繁に交換を行うため面倒な管理を伴うこと、透明ケースの空間が薬剤過多の状態となること、ナフタリンと樟脳を併用する誤使用で展示物にダメージを与えることなどの問題があった。特に、密封されたケースの場合、防虫剤の交換の際に透明ケースの開け閉めしなければならないが、構造によってその作業が複雑となるため、誤って展示物を破損させることもあり、労力と膨大な経費を要してきた。また、薫蒸等の処理は展示中には行うことができず、人体に対する悪影響もあり、使用方法において難点があった。さらに、従来の展示装置においては、展示物の酸化による劣化という問題もあった。
【０００３】
このような問題を解決するために、窒素ガス発生器で生成した窒素ガスをケース内に供給して満たし無酸素状態を形成して殺虫効果を与えると共に酸化による展示物の劣化防止を行う展示装置が提案されてきた（例えば特許文献１参照。）。この展示装置に適用された構造としては、展示物を置く台座の上部に透明ケースが装着されるが、透明ケースは、その開口縁部と台座の周縁との間にパッキングを介してネジ止めすることで封止するようにしたものである。また、透明ケースと台座部との周縁の間を接着剤により固定封止する構造もある。
【０００４】
【特許文献１】特開平９−２８５２０号公報
【発明の開示】
【発明が解決しようとする課題】
【０００５】
従来の展示装置は、以上のように構成されているが、次のような問題がある。
透明ケースを、パッキングを介してネジにて台座に締め付ける構造であるため、長期保存に用いると、パッキングの劣化やネジによるケースの破損等などが起こりやすい。また、固定するために接着剤を使用する構造もあるが、ケースの開封が困難となり、接着剤の溶剤が展示物に悪影響を及ぼすおそれもあった。さらに、ケース内を窒素ガス雰囲気にするためにボンベや窒素ガス発生器等を備えているので、装置コスト、維持管理費、運搬性などに難点があった。
【０００６】
この発明は、上記問題点を解決するためになされたもので、酸素吸収剤を用いて無酸素状態で展示物の長期保存を可能し、かつ装置コストや維持管理を軽減できる構造の展示装置を得ることを目的とする。
【課題を解決するための手段】
【０００７】
この発明に係る展示装置は、上面に展示物を置くための載置面を有する台座と、一つの面に開口部を持つ箱状体で構成され前記台座の上部に被せて展示物を展示する透明ケースとを備えた展示装置において、透明ケースが、開口部を囲む４面の外周縁にローレット加工が施された所定の幅を持つ帯状のローレット面を有し、台座が、載置面の周囲に設けられ、透明ケースの４面の縁部が挿入される装着溝と、載置面の所定の位置に設けられ酸素吸収剤を収容する収容部と、還流孔が設けられ収容部の上面に装着される蓋体と、載置面の片隅に設けられ、当該台座の底部と通じ空気を出し入れする吸排気孔と、吸排気孔の載置面側に設けられ、装着後の前記透明ケース内の気圧に応じて吸排気孔を通じて空気を吸排気し伸縮するベローズと、載置面の他の片隅に設けられ、当該台座の底部と通じ装着後の透明ケース内に所定の気体を注入するための注入孔と、注入孔に設けられ、装着後の透明ケース内の気体の流出を抑止する逆止弁とを有し、透明ケースを装着溝に装着した状態で、ローレット面と装着溝の間に取り外しを容易にした封止部材を設けるようにしたものである。
【発明の効果】
【０００８】
この発明によれば、透明ケースに形成したローレット面と装着溝に施した封止部材により密閉機能を高め、長期に渡りその密閉機能を維持できる効果がある。また、初期の設定時において、逆止弁を介して空気を注入し酸素吸収剤の反応を促進させて内部の窒素ガスや炭酸ガスの気体の増加を図り、無酸素状態を形成することができる効果がある。その際、ベローズによりほど良い圧力調整を行うことができるため、加圧や減圧により透明ケースおよび封止部にかかる負荷の軽減を図ることができる効果がある。さらに、酸素吸収剤が収容する展示物の素材などに影響を及ぼさないように使用する酸素吸収剤の種類を選択できる効果がある。さらに、取り外しを容易にした封止部材を用いたことで、酸素吸収剤の交換時に透明ケースの破損を起こすことも無く、また、大掛かりなボンベや窒素ガス発生器を使用しない構造のため、装置コストを削減でき、かつ管理を容易にする効果がある。
【発明を実施するための最良の形態】
【０００９】
実施の形態１．
図１はこの発明の実施の形態１による展示装置を示す組立斜視図、図２は同展示装置のケースの正面図である。
展示装置は透明ケース１と台座２を備え、必要に応じて台座２の下に収納部または脚部３を備えている。透明ケース１は、ガラス、アクリル等からなる透明部材を用い、台座２に装着する下側に開口部を持つ箱状体で構成されている。また、この透明ケース１は、全体が透明の場合と、部分的に透明である場合、例えば上面だけが透明で周囲側面が不透明となる場合などがある。いずれの場合にも、５面が空気漏れしないように結合された構成を有している。透明ケース２の開口部を囲む４面の外周縁には適当な幅で帯状に千鳥格子等の桝目を付けるローレット（またはナーリング）加工が施されたローレット面１１を有する。また、上記４面のローレット面１１の上部には、外側にかつ垂直方向に延びる固定片１２が所定数設けられている。
【００１０】
一方、台座２は、例えばアクリルなどのプラスチック材で形成され、上面に展示物を置くための載置面２０を有し、この載置面２０の周囲には、透明ケース１の４面の開口部側の縁部１３を挿入し装着するための二段溝（装着溝）２６が形成されている。この二段溝２６は、後述するが、底部に開口側の外周より小さい外周を持つ奥溝２６１を形成している。また、載置面２０の一つの片隅には台座２の底部と通じる吸排気孔９が設けられ、その載置面２０にはベローズ２４が取り付けられている。このベローズ２４としては、伸縮を容易にする柔らかい材質で、悪環境でも劣化が見られない材質、例えばフッ素樹脂製のものがよい。また、もう一つの片隅には、台座２の底部と通じ装着後の透明ケース内に所定の気体を注入するための注入孔１０が設けられている。この注入孔１０の載置面側には、装着後の透明ケース内からの気体の流出を抑止する逆支弁２１が取り付けられている。なお、この逆止弁２１の取り付け位置は、載置面２０側に限定されるものではなく、台座２の底部側でもよい。また、逆止弁２１自体も、その機能を満足するものであれば、簡単な構造でよい。載置面２０の中央には、酸素吸収剤を収容するための所定サイズおよび凹部形状を持つ収容部２７が設けられている。収容部２７の上面には、載置面２０と略同一平面を形成するように蓋体２２が装着されるようになっている。この蓋体２２には適当な数の還流孔２３が設けられている。収容部２７に収容される酸素吸収剤としては、酸素だけを吸収し炭酸ガスを発生しない脱酸素剤、あるいは酸素を吸収し、代わりに炭酸ガスを発生する脱酸素剤などが考えられ、展示物の素材などに応じて選択することになる。例えば、炭酸ガスによる変色や劣化などの影響を受ける展示物に対しては、酸素だけを吸収し炭酸ガスを発生しない脱酸素剤を収容すればよいし、一方、炭酸ガス等により影響を受けない展示物に対しては、酸素を吸収し炭酸ガスを発生する脱酸素剤を収容すればよい。
【００１１】
図３は展示装置の透明ケースを台座に装着した状態を示す断面図、図４は同展示装置の状態を示す平面図である。図３および図４により透明ケース１を台座２の上面に装着し、展示装置として機能させる手順を説明する。
台座２の中央に設けられた収容部２７に酸素吸収剤（図示せず）を収容して、上面に蓋体２２を装着する。この場合、酸素吸収剤としては、装着後の透明ケース１内の、例えば３倍の容積の酸素を吸収できる分量が使用される。次に、載置面２０には中敷（図示せず）が敷かれ、その上に展示物が置かれる。その後、透明ケース１の４面の開口側の縁部を装着溝２６に挿入し、透明ケース１と二段溝２６の間に比較的取り外し容易な材質の封止部材を設ける。また、透明ケース１を固定片１２にネジを挿入して台座２の周縁部に固定する。しかし、固定片１２によるネジ止め構造は、補強的な手段であり、後述する封止部材によるシール構造が強固であれば、必要とはされないものである。
【００１２】
封止部材は、例えば次のようにして構成される。
二段溝２６の底部にある奥溝２６１にシール材（第１のシール材）８を施し、透明ケース１の４面の縁部を奥溝２６１まで挿入すると、透明ケース１の縁部を包むようにして透明ケース１と台座２間にシール材８が介在する。これにより、透明ケース１の４面の縁部は奥溝２６１内に狭持される。シール材８としては、例えば硬度２０前後の粘着シートまたはパテが用いられる。酸素吸収剤を入れてから１次シールの形成終了までの作業は、酸素吸収剤の反応が進まないうちに行う必要がある。次に、シール材８の上部で透明ケース１のローレット面１１と二段溝２６の上溝の外周面間にシール材（第２のシール材）７を流し込む。このシール材７の機能は、次に挿入されるＯリング６と１次シール間に隙間が生じないようにすることである。シール材７としては、例えばガス不透過性の高いパテを用いる。また、半永久に保存する場合には、腐りにくく劣化しにくい蜜蝋とカルバナ蝋およびグリセリンまたはワセリンを混合したものを厚めに流し込むとよい。その混合比は蜜蝋８に対しカルバナ蝋１、グロセリンおよびワセリンを１の割合にするとよい。
【００１３】
次に、シール材７の上部で透明ケース１のローレット面１１と二段溝２６の上溝の開口側の外周面間に弾力性を持ったＯリング６を圧入する。このＯリング６としては、例えば硬度４５〜５０のものが使用される。最後に、Ｏリング６の上部で透明ケース１のローレット面１１と二段溝２６の上溝の外周面間に二段溝２６の略開口面までシール材（第３のシール材）５を充填する。充填したシール材５には、長期経過後でも取り除きやすい材質のもの、例えば蜜蝋または変性シリコン樹脂が用いられる。蜜蝋は、長期に渡り腐敗しにくく、また、透明ケース１を後日外す場合があれば、温度７５度前後に加温することで容易に流し取ることが可能である。
上記のようにして組み立られた展示装置は、透明ケース１に形成されたローレット面１１と２段溝２６に施された封止部とで密着性を高め、装着された透明ケース１内の密閉性を高めると共に、透明ケース１のずれを防止することができる。
【００１４】
次に、初期設定を行うが、酸素を吸収して炭酸ガスを出さない酸素吸収剤を用いた場合を例に説明する。
上記組立の終了後、５時間から７時間経過させる。その間酸素吸収剤が反応し酸素が無くなるが、透明ケース１内は酸素が無くなった分減圧される。その時点で、逆止弁２１を押し上げて減圧になった分だけ外気を透明ケース１内に入れる。この作業を、それぞれ７時間程度置いて２回から３回繰り返す。その結果、酸素吸収剤の反応によりケース１内は、酸素が減少し、窒素ガスの濃度が上がる。また、このことにより透明ケース１および封止部に加わる減圧による負荷も小さくなる。この作業過程において、透明ケース１内が減圧になるが、その時は吸排気孔９を介してベローズ２４内に外気が吸い込まれ膨張し、減圧を軽減する。この動作でベローズ２４は伸びるから、ベローズ２４のサイドにメモリ板を置くか、減圧計を置いて、透明ケース１内の圧力の状況を監視するようにしてもよい。
なお、逆止弁２１を押し上げて注入する外気は、簡単なポンプを用いて透明ケース１内の気圧を外気より増加させるようにしてもよいし、空気の代わりに窒素ガスを注入してもよい。透明ケース１内の気圧を増加させた場合にもベローズ２４は圧力調整を行うことになる。いずれにしても、組立後の初期の段階で行えば、後は長期に渡り作業をすることなく、設定状態を維持することができる。
【００１５】
以上のように、この実施の形態１によれば、透明ケースの開口部を囲む４面の外周縁にローレット加工が施された所定の幅を持つ帯状のローレット面を形成し、一方、台座には、透明ケースの４面の縁部が挿入される装着溝を載置面の周囲に設け、載置面の所定の位置に酸素吸収剤を収容する収容部を設け、この収容部の上面に還流孔が設けられた蓋体を装着するようにし、当該台座の底部と通じ空気を出し入れする吸排気孔を載置面の片隅に設け、この吸排気孔を通じて空気を吸排気し伸縮するベローズを透明ケース内に設け、当該台座の底部と通じ装着後の透明ケース内に所定の気体を注入するための注入孔を載置面の他の片隅に設け、装着後の透明ケース内の気体の流出を抑止する逆止弁を注入孔に設け、透明ケースを装着溝に装着した状態で、ローレット面と装着溝の間に取り外しを容易にした封止部材を設けるように構成している。また、特に、この実施の形態１では、台座の装着溝は、底部に当該装着溝の開口側の外周より小さい外周を持ち、透明ケースの４面の縁部が挿入される奥溝を有する二段溝を形成しており、封止部材として、透明ケースを奥溝まで挿入した際、４面の縁部を狭持するように奥溝に第１のシール材を施し、第１のシール材の施された奥溝の上部でローレット面と上溝の外周面間に第２のシール材を所定厚流し込み、第２のシール材の上部でローレット面と上溝の開口側の外周面間に弾力性を持ったＯリングを圧入し、Ｏリングの上部でローレット面と上溝の外周面間に二段溝の開口面まで第３のシール材を充填するようにしている。
【００１６】
したがって、透明ケースに形成したローレット面と装着溝に施した封止部材により密閉機能を高め、長期に渡りその密閉機能を維持することができる。逆止弁により空気を注入して酸素吸収剤の反応を促進させ、透明ケース内の窒素ガスや炭酸ガスの気体の増加を図り、無酸素状態を形成することができる。その際、ベローズによりほど良い圧力調整を行うことができるため、加圧や減圧により透明ケースおよび封止部にかかる負荷の軽減を図ることができる。透明ケース内から酸素を除去して窒素ガスや炭酸ガスで満たすようにしたので、収容した展示物をカビや害虫の被害から守り、長期に渡る保存を可能とする。酸素吸収剤が収容される展示物の素材などに影響を及ぼさないように使用する酸素吸収剤の種類を選択することができる。防虫剤や殺虫剤を使用しないため交換作業の手間が長期に渡り無くなる。取り外しを容易にする封止部材を用いたことで、酸素吸収剤の交換時に透明ケースの破損を起こすことも無い。大掛かりなボンベや窒素ガス発生器を使用しない構造のため、装置コストを削減でき、かつ交換作業が少ないため管理が容易になるなどの効果が得られる。
【００１７】
実施の形態２．
上記実施の形態１では、台座に設けられた装着溝を二段溝とした例について示した。装着溝は台座を切削加工することにより形成されるが、その際、装着溝が歪むので、透明ケースを装着した場合、封止部材を設けるスペースが一定でなく封止部材を施すのが困難になることがある。二段溝としたのはこの問題を解決するための構造である。しかし、精度の高い切削加工を行えば、二段溝にしなくても済む。その場合の装着溝は、断面を単純な凹状にすればよい。
断面を凹状とした装着溝とした場合、封止部材の構成も単純にすることができる。すなわち、台座の装着溝の底部にパテ材を施し、次に、パテ材の上部で前記装着溝の外周面と透明ケースのローレット面間にＯリングを圧入する。最後に、Ｏリングの上部に蜜蝋やエステルなどの蝋材を充填すればよい。このことにより、実施の形態１と同様な効果を奏することができる。また、二段溝の場合であっても封止部材は同様なものを用いて行ってもよい。
【図面の簡単な説明】
【００１８】
【図１】この発明の実施の形態１による展示装置を示す組立斜視図である。
【図２】同実施の形態１に係る展示装置のケースの正面図である。
【図３】同実施の形態１に係る展示装置の断面図である。
【図４】同実施の形態１に係る展示装置の平面図である。
【符号の説明】
【００１９】
１  透明ケース
２  台座
３  収納部または脚部
５，８  シール材
６  Ｏリング
７  グリース
９  吸排気孔
１０  注入孔
１１  ローレット面
１２  固定具
１３  縁部
２０  載置面
２１  逆支弁
２２  蓋体
２３  還流孔
２４  ベローズ
２６  二段溝
２７  収容部
２６１  奥溝
【図１】
2005279055.tif 000003
【図２】
2005279055.tif 000004
【図３】
2005279055.tif 000005
【図４】
2005279055.tif 000006